【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】  処理ウエッブの設定を編集することにより処理シーケンスを改変するための方法において：
前記処理ウエッブの現在の状態を決定するステップ；及び
前記処理ウエッブの少なくとも１つの処理要素を編集するステップ；
を含み：
前記処理シーケンスが前記少なくとも１つの処理要素の編集にしたがって改変される；
ことを特徴とする方法。
【請求項２】  前記少なくとも１つの処理要素が追加の入力データをその間に使用すべき時間を示す、前記少なくとも１つの処理要素を更新するステップをさらに含むことを特徴とする請求項１記載の方法。
【請求項３】  前記少なくとも１つの処理要素の前記編集が前記処理ウエッブへのもう１つの処理要素の追加を含むことを特徴とする請求項１記載の方法。
【請求項４】  前記もう１つの処理要素が、前記もう１つの処理要素の表示を前記処理ウエッブの表示画面上にドラッグし、前記もう１つの処理要素の入力及び出力を既存の他の処理要素の入力及び出力と接続することにより前記処理ウエッブに追加されることを特徴とする請求項３記載の方法。
【請求項５】  処理ウエッブエディタ上に表示される処理ウエッブのグラフィック表示を編集することにより処理シーケンスを改変するための方法において：
前記処理ウエッブの現在の状態を決定するステップ；
前記処理ウエッブのグラフィック表示を：
前記処理ウエッブの第１の処理要素を決定する；
前記第１の処理要素を、前記処理ウエッブにおける前記第１の処理要素の位置並びに前記第１の処理要素への様々な入力及び前記第１の処理要素からの様々な出力に少なくともある程度は基づく特定の位置に配する；
前記処理ウエッブの第２の処理要素を決定する；
前記第２の処理要素を、前記処理ウエッブにおける前記第２の処理要素の位置、前記第２の処理要素への様々な入力及び前記第２の処理要素からの様々な出力、並びに前記第２の処理要素と前記第１の処理要素との間の関係に少なくともある程度は基づく特定の位置に配する；及び
前記第１の処理要素の少なくとも１つのピンを前記第２の処理要素の少なくとも１つのピンに接続する；
ことにより生成するステップ；及び
前記処理ウエッブの少なくとも１つの処理要素を編集するステップ；
を含み：
前記少なくとも１つの処理要素の前記編集にしたがって前記処理シーケンスが改変される；
ことを特徴とする方法。
【請求項６】  機器の処理ウエッブのグラフィック表示において：
前記処理ウエッブの第１の処理要素；前記第１の処理要素は前記処理ウエッブにおける前記第１の処理要素の位置並びに前記第１の処理要素への様々な入力及び前記第１の処理要素からの様々な出力に少なくともある程度は基づく特定の位置に配される；
前記処理ウエッブの第２の処理要素；前記第２の処理要素は前記処理ウエッブにおける前記第２の処理要素の位置、前記第２の処理要素への様々な入力及び前記第２の処理要素からの様々な出力、並びに前記第２の処理要素と前記第１の処理要素との間の関係に少なくともある程度は基づく特定の位置に配される；及び
前記第１の処理要素の少なくとも１つのピンを前記第２の処理要素の少なくとも１つのピンに接続するための接続；
を含むことを特徴とする処理ウエッブのグラフィック表示。
【請求項７】  処理ウエッブの設定を編集することにより処理シーケンスを改変するためのエディタにおいて：
前記処理ウエッブに１つまたはそれより多い処理要素及び前記処理要素間の接続を含む、前記処理ウエッブの現在の状態を決定するための手段；及び
前記処理ウエッブの前記処理要素の内の少なくとも１つを選択し、編集するためのセレクタ；
を含み：
前記処理シーケンスが前記少なくとも１つの処理要素の前記編集にしたがって改変される；
ことを特徴とするエディタ。
【請求項８】  前記少なくとも１つの処理要素が追加の入力データをその間に使用すべき時間を示す更新時間を示すために、前記エディタが前記少なくとも１つの処理要素を編集することを特徴とする請求項７記載のエディタ。
【請求項９】  処理ウエッブのグラフィック表示を編集することにより処理シーケンスを改変するための処理ウエッブエディタにおいて：
前記処理ウエッブの現在の状態を決定するための手段；
前記処理ウエッブのグラフィック表示を：
前記処理ウエッブの第１の処理要素を決定する；
前記第１の処理要素を前記処理ウエッブにおける前記第１の処理要素の位置並びに前記第１の処理要素への様々な入力及び前記第１の処理要素からの様々な出力に少なくともある程度は基づく特定の位置に配する；
前記処理ウエッブの第２の処理要素を決定する；
前記第２の処理要素を前記処理ウエッブにおける前記第２の処理要素の位置、前記第２の処理要素への様々な入力及び前記第２の処理要素からの様々な出力、並びに前記第２の処理要素と前記第１の処理要素との間の関係に少なくともある程度は基づく特定の位置に配する；及び
前記第１の処理要素の少なくとも１つのピンを前記第２の処理要素の少なくとも１つのピンに接続する；
ことにより生成するためのレンダラ；及び
前記処理ウエッブの少なくとも１つの処理要素を選択し、編集するためのセレクタ；
を含み：
前記処理シーケンスが前記少なくとも１つの処理要素の前記編集にしたがって改変される；
ことを特徴とするエディタ。
【請求項１０】  処理ウエッブの設定を編集することにより処理シーケンスを改変するためのエディタにおいて：
前記処理ウエッブに１つまたはそれより多い処理要素及び前記要素間の接続を含む、前記処理ウエッブの現在の状態を決定するための手段；及び
前記処理ウエッブの前記処理要素間の少なくとも１つの接続を選択し、編集するためのセレクタ；
を含み：
前記少なくとも１つの接続の編集にしたがって前記処理シーケンスが改変される；
ことを特徴とするエディタ。
【請求項１１】  処理ウエッブの設定を編集することにより処理シーケンスを改変するための方法において：
前記処理ウエッブに１つまたはそれより多い処理要素及び前記処理要素間の接続を含む、前記処理ウエッブの現在の状態を決定するステップ；及び
前記処理ウエッブの前記処理要素間の少なくとも１つの接続を選択し、編集するステップ；
を含み：
前記少なくとも１つの接続の前記編集にしたがって前記処理シーケンスが改変される；
ことを特徴とする方法。
【請求項１２】  機器の処理ウエッブのグラフィック表示を生成するための方法において：
前記処理ウエッブの第１の処理要素を決定するステップ；
前記第１の処理要素を、前記第１の処理要素の機能並びに前記第１の処理要素への様々な入力及び前記第１の処理要素からの様々な出力に少なくともある程度は基づく特定の位置に配するステップ；
前記処理ウエッブの第２の処理要素を決定するステップ；
前記第２の処理要素を、前記第２の処理要素の機能、前記第２の処理要素への様々な入力及び前記第２の処理要素からの様々な出力、並びに前記第２の処理要素と前記第１の処理要素との間の関係に少なくともある程度は基づく特定の位置に配するステップ；及び
前記第１の処理要素と前記第２の処理要素との間のデータフローを示すように前記第１の処理要素を前記第２の処理要素に接続するステップ；
を含み：
前記第１の処理要素が波形アクイジション処理要素であり；
前記第２の処理要素が表示処理要素である；
ことを特徴とする方法。
【請求項１３】  前記処理ウエッブの第３の処理要素を決定するステップ；及び
前記第３の処理要素を、前記処理ウエッブにおける前記第３の処理要素の機能、前記第２の処理要素への様々な入力及び前記第２の処理要素からの様々な出力、並びに前記第３の処理要素と前記第１及び第２の処理要素との間の関係に少なくともある程度は基づく特定の位置に配するステップ；
をさらに含み：
前記第３の処理要素が前記第１の処理要素と前記第２の処理要素との間の中間処理ステップを実行する；
ことを特徴とする請求項１２記載の方法。
【請求項１４】  機器の処理ウエッブのグラフィック表示において：
前記処理ウエッブの第１の処理要素であって、前記第１の処理要素の機能並びに前記第１の処理要素への様々な入力及び前記第１の処理要素からの様々な出力に少なくともある程度は基づく特定の位置に配される第１の処理要素；
前記処理ウエッブの第２の処理要素であって、前記第２の処理要素の機能、前記第２の処理要素への様々な入力及び前記第２の処理要素からの様々な出力、並びに前記第２の処理要素と前記第１の処理要素との間の関係に少なくともある程度は基づく特定の位置に配される第２の処理要素；及び
前記第１の処理要素と前記第２の処理要素との間のデータフローを示すように前記第１の処理要素を前記第２の処理要素に接続するための接続；
を含み：
前記第１の処理要素が波形アクイジション処理要素であり；
前記第２の処理要素が表示処理要素である；
ことを特徴とする処理ウエッブのグラフィック表示。
【請求項１５】  前記処理ウエッブの第３の処理要素であって、前記処理ウエッブにおける前記第３の処理要素の機能、前記第２の処理要素への様々な入力及び前記第２の処理要素からの様々な出力並びに前記第３の処理要素と前記第１及び第２の処理要素との間の関係に少なくともある程度は基づく特定の位置に配される第３の処理要素；
をさらに含み：
前記第３の処理要素は前記第１の処理要素と前記第２の処理要素との間の中間処理ステップを実行する；
ことを特徴とする請求項１４記載の処理ウエッブのグラフィック表示。